(57)【要約】【課題】洗濯開始時に投入した洗剤が水槽の中で水と混合完了する前に、そのまま洗剤の塊として直接排水口に落ち込み、排水コックに入り込んでしまったまま洗剤としての機能を果たさず排出されてしまうという問題を有していた。【解決手段】水槽１９の背面に配設された開口４５から延設して排水口下流に設けられた排水コック３７に連通する循環経路４７を配設し、給水を所定時間行った後、回転ドラムを洗濯の攪拌回転数より高い所定回転数で一定方向に回転させながら給水を継続し、その後洗剤を受け筒槽内に投入することにより、排水コックの洗剤の堆積を防止する。【選択図】図２
2010207311.tif 000002
【特許請求の範囲】
【請求項１】
水槽内に回転自在に配設され、その回転中心軸が水平もしくは水平から傾斜した回転ドラムと、前記水槽の底部に設けた排水口と、前記回転ドラムを回転駆動するモータと、前記水槽内に洗濯水を給水する給水手段と、前記水槽内の洗濯水を排水する排水手段と、前記水槽の背面に配設された開口から延設して排水口下流に設けられた排水コックに連通する循環経路と、前記モータ、給水手段および排水手段等を制御して洗濯、すすぎ、脱水等の各工程を実行する制御手段とを備え、給水を所定時間行った後、前記回転ドラムを洗濯の攪拌回転数より高い所定回転数で一定方向に回転させながら給水を継続し、その後洗剤を水槽内に投入するドラム式洗濯機。
【請求項２】
前記制御手段は、前記回転ドラムを所定回転数で一定方向に回転駆動しながら給水を所定時間行った後、回転ドラムの回転数を上昇させて給水を継続し、その後洗剤を水槽内に投入するドラム式洗濯機。
【請求項３】
前記制御手段は、洗剤投入後所定時間経過後、更に回転ドラムの回転数を上昇させて駆動する請求項１または請求項２に記載のドラム式洗濯機。
【請求項４】
前記制御手段は、前記給水経路から前記排水口に給水が流れる方向と逆の回転方向に前記回転ドラムを回転させながら給水を行う請求項１から３に記載のドラム式洗濯機。
【発明の詳細な説明】
【技術分野】
【０００１】
本発明は回転ドラム内で衣類の洗濯などを行うドラム式洗濯機に関するものである。
【背景技術】
【０００２】
従来、この種のドラム式洗濯機は図７のように構成していた。以下その構成を説明する。
【０００３】
図７に示すように、ドラム１は、外周部に多数の通水孔２を全面に設け、水槽３内に回転自在に配設している。ドラム１の回転中心に回転軸４の一端を固定し、回転軸４の他端にドラムプーリー５を固定している。モータ６は、ベルト７によりドラムプーリー５と連結し、ドラム１を回転駆動する。ドラム１の開口部に蓋８を開閉自在に設けている。水槽３は、洗濯機本体９よりばね体１０で吊り下げ、防振ダンパー１１により脱水時の振動が洗濯機本体９に伝達されないように防振支持するとともに、脱水時の振動を低減する重り１２を設けている。水槽３の下部には排水口１１７を設けている。給水弁１３は、水槽３内に洗濯水を給水するもので、排水ポンプ１４は、水槽３内の洗濯水を排水するものである。ヒータ１５は、水槽３内の洗濯水を加熱するものである。制御装置１６は、モータ６、給水弁１３、排水ポンプ１４、ヒータ１５などの動作を制御し、洗濯、すすぎ、脱水などの一連の工程を逐次制御する（例えば、特許文献１参照）。
【０００４】
以上のように構成されたドラム式洗濯機の動作を以下に説明する。
【０００５】
蓋８を開いてドラム１内に洗濯物を投入し、運転を開始すると、洗濯工程では、給水弁１３を駆動して水槽３内に洗濯水を給水する。洗濯水の水位が所定水位に達すると給水弁１３の駆動を停止し、給水を終了する。その後、ドラム１はモータ６によって低速で回転駆動され、ドラム１内の洗濯物は持ち上げられて水面上に落下される。こうして洗濯工程が進行する。洗濯工程を所定時間行った後、水槽３内の洗濯水を排水口１１７を経由して排水ポンプ１４に貯水し、排水ポンプ１４を駆動して排水し、中間脱水を行い、その後のすすぎ工程を行う。そのすすぎ工程においても洗濯工程と同様の動作を行う。脱水工程では、ドラム１は高速で回転駆動され、洗濯物は遠心脱水される。
【特許文献１】特開平１０−２０１９８８号公報
【発明の開示】
【発明が解決しようとする課題】
【０００６】
本来、洗浄工程において、洗濯を開始した直後に、洗剤ケース（図示せず）に投入された洗剤を給水弁１３から給水された水を利用してとか、手動でもしくは他の手段にて水槽３内に投入し、水の中に溶け込ませ、その洗浄水が洗濯物の汚れ部分に接触することにより洗剤がその汚れに付着して、洗浄効果を高めるものである。
【０００７】
しかしながら、上記のような従来の構造では、洗濯開始時に投入した洗剤が水槽３の中で水と混合完了する前に、そのまま洗剤の塊として直接排水口１７に落ち込み、排水コックに入り込んでしまったまま洗剤としての機能を果たさず排出されてしまうという問題を有していた。
【０００８】
本発明は、上記従来の課題を解決するもので、洗濯の給水工程において、先に排水コック側に給水をした後、ドラム１の回転数を上昇させてから洗剤を受け筒層内に投入することで、排水口１１７から洗剤が排水コックに堆積しにくくするとともに、洗剤が排水口１１７から進入し、排水コックに堆積してしまったとしても、洗剤を再び水槽３内に逆流さ
せやすくし、洗剤の溶解性を高め、洗剤としての機能を向上し、洗浄効果を高めることができるドラム式洗濯機を提供することを目的としている。
【課題を解決するための手段】
【０００９】
水槽内に回転自在に配設され、その回転中心軸が水平もしくは水平から傾斜した回転ドラムと、前記水槽の底部に設けた排水口と、前記回転ドラムを回転駆動するモータと、前記水槽内に洗濯水を給水する給水手段と、前記水槽内の洗濯水を排水する排水手段と、前記水槽の背面に配設された開口から延設して排水口下流に設けられた排水コックに連通する循環経路と、前記モータ、給水手段および排水手段等を制御して洗濯、すすぎ、脱水等の各工程を実行する制御手段とを備え、給水を所定時間行った後、前記回転ドラムを洗濯の攪拌回転数より高い所定回転数で一定方向に回転させながら給水を継続し、その後洗剤を受け筒槽内に投入するようにしている。
【００１０】
これにより、洗濯の給水工程時において、先に排水コック側に給水が溜められ、回転ドラムの回転を上昇させて排水コックの入り口表面にその表面をなめるような水の流れが出来てから洗剤が投入されるため、排水コック側と循環経路側に洗剤が入り込みにくくするとともに、排水コックに堆積したとしても、回転しているドラムの背面の開口から洗浄水が循環経路を通じて排水コックに入り込み、その勢いよく入り込んだ洗浄水により洗剤が巻き上げられる。排水コックから洗浄水により巻き上げられることにより再び水槽内に洗剤が逆流し、回転ドラムの回転により水槽やドラム内の洗浄水を溶解し、洗濯物に接触することにより洗剤としての機能を発揮し、洗浄効果を高めることができるドラム式洗濯機を提供するものである。
【発明の効果】
【００１１】
本発明のドラム式洗濯機は、洗濯の給水工程時において、先に排水コック側に給水が溜め、回転ドラムの回転を上昇させてから水槽内に投入された洗剤が排水口から進入することで、排水コック側と循環経路側に洗剤が入り込みにくくするとともに、排水コックに堆積したとしても、洗剤を再び水槽内に逆流させ、回転ドラムの回転により水槽やドラム内の洗浄水の溶解性を高めて、洗剤としての機能を発揮させ、洗浄効果を高めることができる。
【発明を実施するための最良の形態】
【００１２】
第１の発明は、水槽内に回転自在に配設され、その回転中心軸が水平もしくは水平から傾斜した回転ドラムと、前記水槽の底部に設けた排水口と、前記回転ドラムを回転駆動するモータと、前記水槽内に洗濯水を給水する給水手段と、前記水槽内の洗濯水を排水する排水手段と、前記水槽の背面に配設された開口から延設して排水口下流に設けられた排水コックに連通する循環経路と、前記モータ、給水手段および排水手段等を制御して洗濯、すすぎ、脱水等の各工程を実行する制御手段とを備え、給水を所定時間行った後、前記回転ドラムを洗濯の攪拌回転数より高い所定回転数で一定方向に回転させながら給水を継続し、その後洗剤を水槽内に投入することにより、洗濯の給水工程時において、先に排水コック側に給水が溜め、回転ドラムの回転を上昇させてから洗剤を投入することで、排水コック側と循環経路側に洗剤が入り込みにくくするとともに、排水コックに堆積したとしても、洗剤を再び水槽内に逆流させ、回転ドラムの回転により水槽やドラム内の洗浄水の溶解性を高めて、洗剤としての機能を発揮させ、洗浄効果を高めることができる。
【００１３】
第２の発明は、特に、第１の発明の洗濯の給水工程時において、回転ドラムを所定回転数で一定方向に回転駆動しながら給水を所定時間行った後、回転ドラムの回転数を上昇させて給水を継続し、その後洗剤を回転ドラム内に投入することにより、最初の給水時に回転ドラム内の洗濯物が片寄って濡れることを防ぎ、次に回転数を上昇する際にバランスよく回転させて  起動を良くすることができ、確率よく回転数を上昇させてから洗剤を水槽
内に投入することで、より確実にドラム内の洗浄水の溶解性を高めて、洗剤としての機能を発揮させ、洗浄効果を高めることができる。
【００１４】
第３の発明は、特に、第１または第２の発明の洗濯の給水工程において、洗剤投入後所定時間経過後、更に回転ドラムの回転数を上昇させて駆動することにより、より排水コック側と循環経路側に洗剤が入り込みにくくするとともに、排水コックに堆積したとしても、洗剤を再び水槽内に逆流させる。また、回転ドラムの回転により、水槽や回転ドラム内の洗浄水の溶解性を高めるとともに、水槽内の洗剤液を高速で回転攪拌することで高濃度の泡を発生させ、回転ドラム内の洗濯物にかけることができ、高濃度の洗剤泡が洗濯物に浸透しやすく、洗剤としての機能を発揮させ、洗浄効果を高めることができる。
【００１５】
第４の発明は、特に、第１〜３のいずれか１つの発明の洗濯の給水工程において、給水経路から排水口に給水が流れる方向と逆の回転方向に回転ドラムを回転させながら給水を行うことにより、逆流した水槽内の水で洗剤の給水が直接排水口に流れ入ることを防ぎ、より排水コック側と循環経路側に洗剤が入り込みにくくするとともに、排水コックに堆積したとしても洗剤をより巻き上げることができ、ドラム内の洗浄水の溶解性を高めて、洗剤としての機能を発揮させ、洗浄効果を高めることができる。
【００１６】
以下、本発明の実施の形態について、図面を参照しながら説明する。なお、この実施の形態によって本発明が限定されるものではない。
【００１７】
（実施の形態１）
図１は、本発明の実施の形態に係るドラム式洗濯機の側断面図、図２は、その水槽の背面図、図３はその排水コックの正面図、図４は本発明の第１の実施の形態のドラム式洗濯機の要部動作フローチャートである。
【００１８】
図１において、回転ドラム１７は、有底円筒形に形成され、外周部に多数の通水孔１８が全面に設けられて、水槽１９内に回転自在に配設されている。回転ドラム１７の回転中心に傾斜方向に回転軸（回転中心軸）２０が設けられ、回転ドラム１７の軸心方向は正面側から背面側に向けて下向きに傾斜させている。この回転軸２０に、水槽１９の背面に取り付けたモータ２１が連結され、モータ２１により回転ドラム１７が正転、逆転方向に回転駆動される。回転ドラム１７の内壁面には数個の突起板２２が設けられている。
【００１９】
水槽１９の正面側で本体２３の上向き傾斜面に設けた開口部２４を蓋体２５により開閉自在に覆い、この蓋体２５を開くことにより、開口部２４、水槽衣類出入口２６および回転ドラム衣類出入口２７を通して回転ドラム１７内に洗濯物を入れ、回転ドラム１７内から洗濯物を取り出せるようにしている。蓋体２５を上向き傾斜面に設けているため、使用者は洗濯物を出し入れする際に、腰を屈める具合を少なくして行うことができる。
【００２０】
水槽１９は、本体２３からばね体２８とダンパー２９により揺動可能に吊り下げられており、水槽１９の内底部には、回転軸２０の方向に長い凹状の排水溝３０を設けている。この排水溝３０にはヒータ５０を配置している。この排水溝３０の底部の背面側寄りには排水口３１を設けており、この排水口３１に排水コック３７を接続し、排水コック３７の出口側に排水経路３２を接続し、排水経路３２の他端を排水弁（排水手段）３３に接続して、水槽１９内の洗濯水を排水するようにしている。第１の給水弁（給水手段）３４ａは、給水経路３６を通して直接洗濯槽内に洗濯水を給水する。第２の給水弁（給水手段）３４ｂは洗剤ケース３５および給水経路３８を通して水槽１９内に洗濯水を給水する。また、水位検知手段４８は、水槽１９内の水位を検知するために設けられている。
【００２１】
制御装置３９は、マイクロコンピュータで構成した制御手段４０を有し、パワースイッ
チング手段を介してモータ２１、排水弁（ＤＶ）３３、給水弁（ＦＶ）３４ａ、３４ｂなどの動作を制御し、洗濯、すすぎ、脱水、乾燥の一連の工程を逐次制御する。
【００２２】
制御手段４０は、運転コース等を設定するための入力設定手段からの情報を入力して、その情報を基に表示手段で表示して使用者に知らせる。記憶手段は、制御手段４０により制御するのに必要なデータを記憶している。
【００２３】
図２において、水槽１９の背面には背面開口部４５を設けており、この水槽の背面開口部４５と図３および図４に示す排水コック３７に設けた開口部４６を循環経路４７接続し、水または空気が循環できる構成にしている。
【００２４】
上記構成において図４のフローチャートに従って、その動作を説明する。
【００２５】
使用者が扉体２５を開いて回転ドラム１７内に洗濯物を投入し、再び扉体２５を閉じるとステップ１００で動作を開始し、ステップ１０１で電源スイッチ４５ｆをオンした後、ステップ１０２でコース、行程を設定し、ステップ１０３で変更後の内容を操作パネルに表示する。ステップ１０４でスタートボタンを押して運転をスタートすると、ステップ１０５で洗濯機の扉体２５がロックされる。
【００２６】
洗濯の給水工程に入り、ステップ１０６で第１の給水手段３４ａをオンすると洗濯水が給水され、ステップ１０７で第１の給水経路３６を通り、洗濯槽内に給水される。ステップ１０８で所定の給水水位Ｓ１（例えば０ｍｍ；リセット水位）を検知すると、ステップ１０９に移行して第１の給水手段３４ａを停止する。給水水位Ｓ１に至っていない場合、ステップ１０７に戻り給水を継続する。ステップ１１０でモータ２１を駆動し、回転ドラム１７を回転させる。ステップ１１１で回転ドラム１７の回転数が所定の回転数Ｒ２（例えば８５ｒ／ｍｉｎ）に至っているかを確認し、至っていればステップ１１２に移行する。至っていなければステップ１１０に戻り、回転を継続させ、回転数を上昇させる。ステップ１１２では、第２の給水手段３４ｂをオンして、洗濯水を給水する。ステップ１１３で、その洗濯水が給水経路を通り、途中ステップ１１４で洗剤ケース３５を通り、ステップ１１５で洗剤とともに受け筒槽内に給水される。このようにして洗剤は水槽内に流れ込む。ステップ１１６で所定水位Ｓ２（例えば６０ｍｍ）を検知すると、ステップ１１７移行して第２の給水手段３４ｂを停止する。所定水位Ｓ２に至っていなければステップ１１２に戻り給水を継続する。ステップ１１８で所定の回転時間Ｔ１に至っているかを確認し、至っていれば、ステップ１１９で回転ドラム１７の回転を停止して、次の工程に進む。所定の回転時間Ｔ１に至っていなければ、ステップ１１７に戻り回転を継続する。
【００２７】
この動作により、含んだ洗濯水は撹拌され、洗剤は徐々に洗濯水に溶け込んでいくと同時に、その洗濯水は、排水溝３０の側壁（図示せず）に衝突する。その衝突により高濃度の洗剤成分を有する洗濯泡が発生し、その洗濯泡が回転ドラム１７と水槽１９の間に徐々に充満していく。その後、いっぱいになると、洗濯泡は、回転ドラム１７と水槽１９の前方に回り込み、回転ドラム衣類出入口２７から回転ドラム１７の内部に入り込み、その中の洗濯物に染み込むこととなる。この時、排水溝３０に到達した洗剤はそのほとんどが攪拌により溶解されるのだが、洗剤量が多い場合に溶け残った洗剤が洗濯水に溶解されないまま排水口３１から排水コック３７に落ち込み、堆積することがある。
【００２８】
しかし、以上のように、回転ドラム１７を洗濯の攪拌回転数より高い所定回転数Ｒ２で一定方向に回転させながら給水を継続し、その後洗剤を水槽１９内に投入することにより、洗濯の給水工程時において、先に排水コック３７側に給水を溜め、回転ドラム１７の回転を上昇させてから洗剤を投入することで、排水コック３７側と循環経路４７側に洗剤が入り込みにくくするとともに、排水コック３７に堆積したとしても、洗剤を再び水槽１９
内に逆流させ、回転ドラム１７の回転により水槽１９や回転ドラム１７内の洗浄水の溶解性を高めて、洗剤としての機能を発揮させ、洗浄効果を高めることができる。
【００２９】
（実施の形態２）
図５は、本発明の第２の実施の形態のドラム式洗濯機の要部動作フローチャートである。本実施の形態２の縦断面図、水槽の背面図は、実施の形態１と同じ構成であり、図１、図２および図３を使用して説明する。
【００３０】
前記制御手段４０は、前記回転ドラム１７を所定回転数で一定方向に回転駆動しながら給水を所定時間行った後、回転ドラム１７の回転数を上昇させて給水を継続し、その後洗剤を水槽１９内に投入するように構成している。他の構成は上記実施の形態１と同じである。
【００３１】
上記構成において、図５を参照にして動作を説明する。なお実施の形態１と同じ部分は省略する。
【００３２】
洗濯給水工程において、ステップ１０６でモータを駆動し回転ドラム１７を回転させる。ステップ１０７で回転ドラムの回転数が所定の回転数Ｒ１（例えば４５ｒ／ｍｉｎ）に至っているかを確認し、至っていればステップ１０８に移行する。至っていなければステップ１０６に戻り回転を継続し、回転数を上昇する。ステップ１０８で第１の給水手段３４ａをオンすると洗濯水が給水され、ステップ１０９で第１の給水経路３６を通り、洗濯槽内に給水される。ステップ１１０で所定の給水水位Ｓ１（例えば０ｍｍ；リセット水位）を検知すると、ステップ１１１に移行して第１の給水手段３４ａを停止する。給水水位Ｓ１に至っていない場合、ステップ１０７に戻り給水を継続する。ステップ１１２で回転ドラム１７の回転数を上げる。ステップ１１３で回転ドラム１７の回転数が所定の回転数Ｒ２（例えば８５ｒ／ｍｉｎ）に至っているかを確認し、至っていればステップ１１４に移行する。至っていなければステップ１１３に戻り、回転を継続させ、さらに回転数を上昇させる。ステップ１１４では、第２の給水手段３４ｂをオンして、洗濯水を給水する。ステップ１１５で、その洗濯水が給水経路３７ａを通り、途中ステップ１１６で洗剤ケース３５を通り、ステップ１１７で洗剤とともに受け筒槽内に給水される。このようにして洗剤は水槽内に流れ込む。ステップ１１８で所定水位Ｓ２（例えば６０ｍｍ）を検知すると、ステップ１１９移行して第２の給水手段３４ｂを停止する。所定水位Ｓ２に至っていなければステップ１１４に戻り給水を継続する。ステップ１２０で所定の回転時間Ｔ１に至っているかを確認し、至っていれば、ステップ１２１で回転ドラム１７の回転を停止して、次の工程に進む。
【００３３】
以上のように、回転ドラム１７を所定回転数Ｒ１で一定方向に回転駆動しながら給水を所定時間行った後、回転ドラム１７の回転数を上昇させて給水を継続し、その後洗剤を回転ドラム１７内に投入することにより、最初の給水時に回転ドラム１７内の洗濯物が片寄って濡れることを防ぎ、次に回転数を上昇する際にバランスよく回転させて  起動を良くすることができ、確立よく回転数を上昇させてから洗剤を水槽１９内に投入することができ、より確実に回転ドラム１７内の洗浄水の溶解性を高めて、洗剤としての機能を発揮させ、洗浄効果を高めることができる。
【００３４】
（実施の形態３）
図６は、本発明の第３の実施の形態のドラム式洗濯機の要部動作フローチャートである。本実施の形態３の縦断面図、水槽の背面図は、実施の形態１および実施の形態２と同じ構成であり、図１、図２および図３を使用して説明する。
【００３５】
前記制御手段４０は、第１または第２の発明の洗濯の給水工程において、洗剤投入後所
定時間経過後、更に回転ドラムの回転数を上昇させて駆動する構成にしている。他の構成は上記実施の形態１および実施の形態２と同じである。
【００３６】
上記構成において、図６を参照にして動作を説明する。なお実施の形態１および実施の形態２と同じ部分は省略する。
【００３７】
洗濯給水工程において、洗剤を水槽内に投入した後、ステップ１２０で回転ドラム１７の回転数を上昇させる。ステップ１２１で回転ドラム１７の回転数が所定の回転数Ｒ３（例えば１２０ｒ／ｍｉｎ）に至っているかを確認し、至っていればステップ１２２に移行する。所定の回転数Ｒ３（例えば１２０ｒ／ｍｉｎ）に至っていなければステップ１２０に戻り、さらに回転数を上昇する。
【００３８】
ステップ１２２では回転ドラムの回転時間が、所定の回転時間Ｔ１に至っているかを確認し、至っていればステップ１２３にて回転ドラム１７を停止し、次の工程に移行する。至っていなければ、ステップ１２１に戻り、回転を継続する。
【００３９】
以上のように、洗剤投入後所定時間経過後、更に回転ドラム１７の回転数を上昇させて駆動することにより、より排水コック３７側と循環経路４７側に洗剤が入り込みにくくするとともに、排水コック３７に堆積したとしても、洗剤を再び水槽１９内に逆流させる。また、回転ドラム１７の回転により、水槽１９や回転ドラム１９内の洗浄水の溶解性を高めるとともに、水槽１９内の洗剤液を高速で回転攪拌することで高濃度の泡を発生させ、回転ドラム１９内の洗濯物にかけることができ、高濃度の洗剤泡が洗濯物に浸透しやすく、洗剤としての機能を発揮させ、洗浄効果を高めることができる。
【００４０】
（実施の形態４）
本実施の形態４の縦断面図、水槽の背面図は、実施の形態１から実施の形態３のいずれか１つと同じ構成であり、図１、図２および図３を使用して説明する。
【００４１】
前記制御手段４０は、第１から第３のいずれかの発明において、給水経路３６および給水経路３８から前記排水口３１に給水が流れる方向と逆の回転方向に前記回転ドラム１７を回転させながら給水を行うようにいている。他の構成は上記実施の形態１から実施の形態３と同じである。
【００４２】
上記構成において動作を説明する。なお実施の形態１から実施の形態３と同じ部分は省略する。
【００４３】
洗濯給水工程において、回転ドラム１７を回転させながら給水手段３４ａまたは３４ｂをｏｎして、給水経路３６または３８を通して洗濯水を給水する場合、給水経路３６、３８から排水口３１に給水が流れる方向と逆の回転方向に回転ドラム１７を回転させながら給水を行うことにより、逆流した水槽１９内の水で洗剤の給水が直接排水口３１に流れ入ることを防ぎ、より排水コック３７側と循環経路側に洗剤が入り込みにくくするとともに、排水コック３７に堆積したとしても洗剤をより巻き上げることができ、ドラム内の洗浄水の溶解性を高めて、洗剤としての機能を発揮させ、洗浄効果を高めることができる。
【産業上の利用可能性】
【００４４】
以上のように、本発明にかかるドラム式洗濯機は、洗濯給水時に排水コックおよび循環経路に洗剤が入り込みにくく洗剤の投入を行うことで、洗剤の溶解性を高めて、洗濯性に優れたドラム式洗濯機の提供を図ることができる。
【図面の簡単な説明】
【００４５】
【図１】本発明の実施の形態１に係るドラム式洗濯機の側断面図
【図２】同ドラム式洗濯機の水槽背面図
【図３】同ドラム式洗濯機の排水コック正面図
【図４】実施の形態１に係る要部動作フローチャート
【図５】実施の形態２に係る要部動作フローチャート
【図６】実施の形態３に係る要部動作フローチャート
【図７】従来のドラム式洗濯機の縦断面図
【符号の説明】
【００４６】
１７  回転ドラム
１９  水槽
２０  回転軸（回転中心軸）
２１  モータ
３１  排水口
３２  排水経路
３３  排水弁
３４ａ  第１の給水弁（給水手段）
３４ｂ  第２の給水弁（給水手段）
３５  洗剤ケース
３６，３８  給水経路
【図４】
2010207311.tif 000003
【図５】
2010207311.tif 000004
【図６】
2010207311.tif 000005
【図７】
2010207311.tif 000006
【図１】
2010207311.tif 000007
【図２】
2010207311.tif 000008
【図３】
2010207311.tif 000009